(57)【要約】【課題】  プロトコルの変更があったような場合でもシステムメンテナンスが比較的簡単にできる医療支援システムを提供する。【解決手段】  通信機能を有する生体測定器101と、生体測定器の測定した生体データを受信し、ネットワーク７を通じて所定のアドレスに無線送信する通信アダプタ１と、通信アダプタから送られてきた生体データを受信して保存し、当該生体データの保存時に生体データ到着を伝えるメッセージをあらかじめ登録されている所定の医療家端末５，６に送信し、かつ所定の医療家端末から送られてきた医療情報をあらかじめ登録されているユーザアドレスに送信する生体データサーバ４と、この生体データサーバから送られてきた医療情報を受信して表示するユーザ端末３とを備えた医療支援システム。【選択図】      図１
2006055530.tif 000002
【特許請求の範囲】
【請求項１】
通信機能を有する生体測定器と、
前記生体測定器の測定した生体データを受信し、ネットワークを通じて所定のアドレスに無線送信する通信アダプタと、
前記通信アダプタから送られてきた生体データを受信して保存し、当該生体データの保存時に生体データ到着を伝えるメッセージをあらかじめ登録されている所定の医療家端末アドレスに送信し、かつ前記所定の医療家端末アドレスから送られてきた医療情報をあらかじめ登録されている所定のユーザ端末アドレスに送信する生体データサーバと、
前記生体データサーバに保存されている前記生体データの閲覧と、前記医療情報の書込みが可能な医療家端末と、
前記生体データサーバから送られてきた前記医療情報を受信して表示するユーザ端末とを備えた医療支援システム。
【請求項２】
前記ユーザ端末は、インターネットテレビであることを特徴とする請求項１に記載の医療支援システム。
【請求項３】
前記ユーザ端末は、携帯電話であることを特徴とする請求項１に記載の医療支援システム。
【請求項４】
前記生体データサーバは、前記生体データの受信時に、前記生体データ到着を伝えるメッセージをあらかじめ登録されている複数の所定の医療家端末アドレスに送信することを特徴とする請求項１に記載の医療支援システム。
【請求項５】
前記生体データサーバは、前記所定の医療家端末アドレスから送られてきた医療情報をあらかじめ登録されている複数の所定のユーザ端末アドレスに送信することを特徴とする請求項１に記載の医療支援システム。
【請求項６】
前記生体測定器は、所定の生体データを取得して蓄積する生体データ保持部と、前記通信アダプタからの送信要求によって送信した生体データについて前記生体データ保持部から削除する生体データ削除部とを有することを特徴とする請求項１に記載の医療支援システム。
【請求項７】
生体測定器と通信する測定器通信部と、
前記測定器通信部にて受信した生体測定器からの生体データを格納する生体データ格納部と、
生体データの受信指示、送信指示を入力する操作部と、
所定の情報を表示する表示部と、
前記生体データ格納部に格納している生体データを送信する生体データサーバのアドレス情報を保持するサーバアドレス保持部と、
前記生体データサーバとネットワークを介して無線通信するためのプロトコルを保持するプロトコル保持部と、
前記ネットワークを通じて無線データ通信を行う無線ネットワーク通信部と、
前記操作部による受信指示の入力に対して、前記測定器通信部を通じて前記生体測定器に生体データ送信要求を送信し、当該生体測定器が送信する生体データを受信して前記生体データ格納部に格納し、前記操作部による送信指示の入力に対して、前記生体データ格納部に格納されている生体データを読出し、前記サーバアドレス保持部の保持する生体データサーバのアドレスを送信先とし、前記無線ネットワーク通信部を通じて、かつ前記プロトコル保持部の保持するプロトコルに従って送信する制御部とを備えたことを特徴とする通信アダプタ。
【請求項８】
前記制御部は、前記操作部による送信指示の入力により前記無線ネットワーク通信部を通じて前記生体データサーバ宛に前記生体データ格納部に格納されている全生体データを送信し、送信成功時に当該生体データ格納部に格納されている全生体データを削除することを特徴とする請求項７に記載の通信アダプタ。
【請求項９】
前記制御部は、前記操作部による送信指示の入力により前記無線ネットワーク通信部を通じて前記生体データサーバ宛に前記生体データ格納部に格納されている生体データのうち最新の生体データのみを送信し、送信成功時に当該生体データを削除することを特徴とする請求項７に記載の通信アダプタ。
【請求項１０】
前記制御部は、前記操作部より受信指示を受けた時に、前記測定器通信部を通じて生体データ送信要求を発信させ、かつ当該測定器通信部を通じて受信した生体データを前記生体データ格納部に格納することを特徴とする請求項７に記載の通信アダプタ。
【請求項１１】
前記制御部は、前記操作部より送信指示を受けた時に前記生体データ格納部に格納されている生体データ群ごとのデータ取得時刻リストを前記表示部に表示させ、前記操作部によるデータ選択入力に対して該当するデータ取得時刻の生体データを前記生体データ格納部から読出し、前記無線ネットワーク通信部を通じて送信することを特徴とする請求項７に記載の通信アダプタ。
【請求項１２】
前記サーバアドレス保持部は複数の生体測定器それぞれに対応する複数のサーバアドレスを格納し、
前記制御部は、前記操作部より特定の生体データの送信指示を受けた時に前記生体データ格納部に格納されている該当する生体データを読出し、当該生体データに対応するサーバアドレスを前記サーバアドレス保持部から読出し、前記無線ネットワーク通信部を通じて当該サーバアドレスを送信先にして前記生体データを送信することを特徴とする請求項７に記載の通信アダプタ。
【請求項１３】
直方体の筐体の横側面に赤外線センサを設け、前記筐体の前側面に表示部と操作ボタンとを設けた通信アダプタ。
【請求項１４】
赤外線通信相手となる通信アダプタの赤外線センサの取付け位置と揃え、筐体の側面の所定の高さ位置に赤外線センサを設けたことを特徴とする生体測定器。
【発明の詳細な説明】
【技術分野】
【０００１】
本発明は、医療支援システム、通信アダプタ及び生体測定器に関する。
【背景技術】
【０００２】
従来、この種の医療支援システムとして特開２００２−２４５１６７（特許文献１）に記載されたものが知られている。この従来の医療支援システムは、ユーザの生体に装着し、検出された生体データを送信データとして小電力無線通信端末によって送信する生体信号検出装置と、この生体信号検出装置から無線送信された生体データを受信する移動体電話端末と、この移動体電話端末と通信を行い、受信した生体データを解析し、生体に対する医療指示データを出力する医療支援センターとから構成されている。
【０００３】
ところが、このような従来の医療支援システムでは、生体信号検出装置の取得した生体データを、移動体電話端末を利用して無線通信にて医療支援センターに送信するので、送信先のアドレス、通信プロトコル等のデータを移動体電話端末側ではなくて、生体信号検出装置側に持たせる必要があり、本来の生体データ取得のための機能に加えてネットワーク通信機能も生体信号検出装置側に持たせるとひいては生体信号検出装置側のコストが不必要に高まる問題点があった。また、複数種の生体信号検出装置を使用している場合、情報ネットワークのプロトコルが変更になれば、生体信号検出装置ごとにそのファームウェアのバージョンアップといた手続きが必要になる煩わしさが避けられない。
【特許文献１】特開２００２−２４５１６７号公報
【発明の開示】
【発明が解決しようとする課題】
【０００４】
本発明は、このような従来の技術的課題に鑑みてなされたもので、コスト的に有利であり、またプロトコルの変更があったような場合でもシステムメンテナンスが比較的簡単にできる医療支援システムを提供することを目的とする。
【０００５】
本発明はまた、上記の医療支援システムに最適な通信アダプタ及び生体測定器を提供することを目的とする。
【課題を解決するための手段】
【０００６】
本発明の第１の特徴は、通信機能を有する生体測定器と、前記生体測定器の測定した生体データを受信し、ネットワークを通じて所定のアドレスに無線送信する通信アダプタと、前記通信アダプタから送られてきた生体データを受信して保存し、当該生体データの保存時に生体データ到着を伝えるメッセージをあらかじめ登録されている所定の医療家端末アドレスに送信し、かつ前記所定の医療家端末アドレスから送られてきた医療情報をあらかじめ登録されている所定のユーザ端末アドレスに送信する生体データサーバと、前記生体データサーバに保存されている前記生体データの閲覧と、前記医療情報の書込みが可能な医療家端末と、前記生体データサーバから送られてきた前記医療情報を受信して表示するユーザ端末とを備えた医療支援システムにある。
【０００７】
上記医療支援システムにおいては、前記ユーザ端末をインターネットテレビとすることができる。また、前記ユーザ端末を携帯電話とすることができる。
【０００８】
上記医療支援システムにおいては、また、前記生体データサーバを前記生体データの受信時に前記生体データ到着を伝えるメッセージをあらかじめ登録されている複数の所定の医療家端末アドレスに送信するものとすることができる。また、前記生体データサーバを前記所定の医療家端末アドレスから送られてきた医療情報をあらかじめ登録されている複数の所定のユーザ端末アドレスに送信するものとすることができる。
【０００９】
上記医療支援システムにおいては、また、前記生体測定器を所定の生体データを取得して蓄積する生体データ保持部と、前記通信アダプタからの送信要求によって送信した生体データについて前記生体データ保持部から削除する生体データ削除部とを有するものとすることができる。
【００１０】
本発明の第２の特徴は、生体測定器と通信する測定器通信部と、前記測定器通信部にて受信した生体測定器からの生体データを格納する生体データ格納部と、生体データの受信指示、送信指示を入力する操作部と、所定の情報を表示する表示部と、前記生体データ格納部に格納している生体データを送信する生体データサーバのアドレス情報を保持するサーバアドレス保持部と、前記生体データサーバとネットワークを介して無線通信するためのプロトコルを保持するプロトコル保持部と、前記ネットワークを通じて無線データ通信を行う無線ネットワーク通信部と、前記操作部による受信指示の入力に対して、前記測定器通信部を通じて前記生体測定器に生体データ送信要求を送信し、当該生体測定器が送信する生体データを受信して前記生体データ格納部に格納し、前記操作部による送信指示の入力に対して、前記生体データ格納部に格納されている生体データを読出し、前記サーバアドレス保持部の保持する生体データサーバのアドレスを送信先とし、前記無線ネットワーク通信部を通じて、かつ前記プロトコル保持部の保持するプロトコルに従って送信する制御部とを備えた通信アダプタにある。
【００１１】
上記通信アダプタにおいては、前記制御部を前記操作部による送信指示の入力により前記無線ネットワーク通信部を通じて前記生体データサーバ宛に前記生体データ格納部に格納されている全生体データを送信し、送信成功時に当該生体データ格納部に格納されている全生体データを削除するものとすることができる。
【００１２】
上記通信アダプタにおいては、また、前記制御部を前記操作部による送信指示の入力により前記無線ネットワーク通信部を通じて前記生体データサーバ宛に前記生体データ格納部に格納されている生体データのうち最新の生体データのみを送信し、送信成功時に当該生体データを削除するものとすることができる。
【００１３】
上記通信アダプタにおいては、また、前記制御部を前記操作部より受信指示を受けた時に、前記測定器通信部を通じて生体データ送信要求を発信させ、かつ当該測定器通信部を通じて受信した生体データを前記生体データ格納部に格納するものとすることができる。
【００１４】
上記通信アダプタにおいては、また、前記制御部を前記操作部より送信指示を受けた時に前記生体データ格納部に格納されている生体データ群ごとのデータ取得時刻リストを前記表示部に表示させ、前記操作部によるデータ選択入力に対して該当するデータ取得時刻の生体データを前記生体データ格納部から読出し、前記無線ネットワーク通信部を通じて送信するものとすることができる。
【００１５】
上記通信アダプタにおいては、さらに、前記サーバアドレス保持部が複数の生体測定器それぞれに対応する複数のサーバアドレスを格納し、前記制御部が前記操作部より特定の生体データの送信指示を受けた時に前記生体データ格納部に格納されている該当する生体データを読出し、当該生体データに対応するサーバアドレスを前記サーバアドレス保持部から読出し、前記無線ネットワーク通信部を通じて当該サーバアドレスを送信先にして前記生体データを送信するものとすることができる。
【００１６】
本発明の第３の特徴は、直方体の筐体の横側面に赤外線センサを設け、前記筐体の前側面に表示部と操作ボタンとを設けた通信アダプタにある。
【００１７】
本発明の第４の特徴は、赤外線通信相手となる通信アダプタの赤外線センサの取付け位置と揃え、筐体の側面の所定の高さ位置に赤外線センサを設けた生体測定器にある。
【発明の効果】
【００１８】
本発明の医療支援システムによれば、無線ネットワーク通信を専属で受け持つ通信アダプタを備えているため、複数種の生体測定器それぞれはこの通信アダプタと通信するための赤外線通信手段を備えるだけで済み、ネットワーク通信プロトコルのバージョンアップのようなファームウェアの変更があった場合にも通信アダプタ側だけで対応でき、システムメンテナンスが簡単である。
【００１９】
また、本発明の通信アダプタによれば、生体測定器を当該通信アダプタの近くに置いて赤外線センサ部分同士を向き合わせることで生体データを受信することができ、各種の生体測定器からの生体データの受信操作が簡単である。
【発明を実施するための最良の形態】
【００２０】
以下、本発明の実施の形態を図に基づいて詳説する。図１は本発明の１つの実施の形態の医療支援システムのシステム構成を示している。この医療支援システムでは、医療支援サービスの受益契約者であるユーザの居宅１００に設置される機器として、通信アダプタ１、例えば心電図を測定して心電図データを収集し保持する心電測定装置１０１、血圧を測定して血圧データを収集し保持する血圧計１０２、体脂肪を測定して体脂肪データを収集し保持する体脂肪測定装置１０３、さらには血糖値を測定して血糖値データを収集し保持する血糖値測定装置等の１種類あるいは複数種類の生体測定器、またユーザの携帯電話２、インターネット通信機能を備えたインターネットテレビ３を備えている。
【００２１】
医療支援システムではまた、医療支援センター２００に移動体通信網とインターネットを含む情報ネットワーク７にてユーザの居宅１００内の機器とネットワーク接続される生体データサーバ４が設置されている。この生体データサーバ４はウェブサーバ、ＡＳＰサーバ等、本システムの運営を可能にする諸々の演算処理機能を備えている。その機能群には、例えば、各ユーザの通信アダプタ１から送られてきた生体データをユーザ識別情報と共に保存する機能、ユーザ情報管理機能、医療機関情報管理機能、メールサーバ機能を含む。
【００２２】
医療支援システムではさらに、医療機関３００に医師、医療専門家が生体データに対して医療判断を行い、医療指示、例えば食餌療法、生活指導等を入力して送信するパーソナルコンピュータ５が設置され、また生体データの受信、医療指示の要求を受信する携帯電話その他の携帯情報端末６が配備されている。この医療機関３００は唯一ではなく、心臓専門医療機関、成人病専門医療機関等のように専門ごとに設置されることもある。
【００２３】
ユーザ居宅１００に置かれている通信アダプタ１は図２に示すハードウェア構成であり、また図３に示す機能構成である。まずハードウェア構成について図２を用いて説明すると、直方体の筐体の前側面にＬＣＤ表示部１５と操作キー群１１が設置され、横側面の規定の高さ位置に赤外線センサ１２が設置されている。操作キー群１１は、カーソル上移動キー１１１、電源キー１１２、決定キー１１３、そしてカーソル下移動キー１１４の４キーで構成されている。カーソル上移動キー１１１はＬＣＤ表示部１５に表示されているカーソルを上移動させるキー、カーソル下移動キー１１４は同じくカーソルをした移動させるキー、電源キー１１２は本通信アダプタ１の電源のオン／オフをトグル操作するキー、決定キー１１３はＬＣＤ表示部１５でカーソル位置のアイテムの選択を決定するキーである。
【００２４】
通信アダプタ１の機能構成をついて図３を用いて説明する。通信アダプタ１は、生体測定器群１０１〜１０３と赤外線通信するための赤外線センサ１２、ユーザの入力操作のための操作キー群１１からのキー入力を受け付ける操作入力部１４、生体測定器１０１〜１０３から受信した生体データを格納する生体データ格納部１３、メニュー画面、操作画面その他の表示を行うＬＣＤ表示部１５、ネットワーク７に対して無線ネットワーク通信を行う無線ネットワーク通信部１６、本通信アダプタ１の通信処理、演算処理のプログラムデータを保持するプログラム格納部１７、生体データの送信先の生体データサーバ４のＵＲＬアドレスを保持するサーバアドレス格納部１８、そしてプログラム格納部１７に格納されているプログラムに従い本通信アダプタ１の諸機能、例えば生体測定器群１０１〜１０３との通信、ネットワーク７を通じたデータサーバ４や医療機関３００の携帯端末６やコンピュータ（ＰＣ）５との無線ネットワーク通信等を制御するＣＰＵ１９を備えている。
【００２５】
生体測定器１０１〜１０３それぞれは、図４に示すハードウェア構成であり、生体測定部１０４、測定日時を管理するカレンダ部１０５、生体データ格納部１０６、そして通信アダプタ１と赤外線通信するための通信部１０７、そして赤外線センサ１０８を備えている。
【００２６】
次に、上記構成の医療支援システムによる医療支援方法について説明する。
【００２７】
＜ユーザ登録処理＞
ユーザは郵便物により、あるいは居宅１００のパーソナルコンピュータその他のアクセス手段を用いて生体データサーバ４にアクセスし、ユーザデータを登録する。例えば、識別番号、パスワード、利用するサービス、例えば心臓機能監視サービス、血圧監視サービス、血糖値監視サービス、成人病予防監視サービス等を登録する。データサーバ４はこのユーザ登録を保持する。この登録手続きにより、通信アダプタ１は生体データ格納部１３にユーザ識別番号、パスワードを保持する。
【００２８】
＜生体測定＞
ユーザは生体測定器１０１〜１０３を用いて例えば心電図データ、血圧データ、脈拍数データ、血糖値データのような生体データを測定すると、生体測定器１０１〜１０３それぞれは、測定日時データと共に測定した生体データそれぞれをその生体データ格納部１３に保存する。
【００２９】
そして図５のフローチャートに示すように、生体測定器１０１〜１０３それぞれは、通信アダプタ１から赤外線センサ１２を通じてデータ送信要求を受信すれば（ステップＳ１）、その生体データ格納部１０６に格納している該当データを読出し、赤外線センサ１０８を通じて赤外線通信によって通信アダプタ１に送信する（ステップＳ３〜Ｓ９）。この生体データ送信には、通信アダプタ１の送信要求に応じて最新の測定データを送信する場合（ステップＳ５）、あるいは生体データ格納部１３に格納している全データを送信する場合がある（ステップＳ７）。全データを送信する場合、データ送信成功後にそれまでの蓄積データを削除する（ステップＳ９）。
【００３０】
＜生体データの受信＞
図６のフローチャートに示すように、通信アダプタ１に対してユーザがデータ収集モードを選択し、生体データ送信要求を入力すれば（ステップＳ１１）、通信アダプタ１は赤外線センサ１２を通じて生体測定器１０１〜１０３のうちの該当するものに対して生体データ送信要求を発信する（ステップＳ１３）。これに対して、該当する生体測定器から要求された生体データが送信されてくれば受信し、生体データ格納部１３に格納する（ステップＳ１５）。生体データ受信が成功すれば、受信成功メッセージを該当生体測定器に返信する（ステップＳ１７）。
【００３１】
＜生体データの送信＞
図７のフローチャートに示すように、通信アダプタ１に対してユーザが生体データを指定して送信要求を入力すれば（ステップＳ２１）、制御部１９は生体データ格納部１３からユーザ識別番号、パスワード、そして該当する生体データを読出し（ステップＳ２３）、また当該生体データの送信先のアドレスをサーバアドレス格納部１８から読出し（ステップＳ２５）、プログラム格納部１７に格納されているプロトコルに従って無線ネットワーク通信部１６からネットワーク７を通じて該当するアドレスの生体データサーバ４に送信する（ステップＳ２７）。この生体データの送信処理では、生体データ格納部１３に保持している全生体データを送信し、送信成功後には生体データ格納部１３の格納データを削除するものとすることができ、これによって少ない操作で生体データの送信ができ、操作性をより良くすることができる。
【００３２】
＜データサーバでの生体データ受信処理＞
図８のフローチャートに示すように、通信アダプタ１から生体データの送信要求を受けた生体データサーバ４は、識別番号、パスワードによってログイン手続きを実行し、正規の登録ユーザからのデータをあることを確認すれば（ステップＳ３１，Ｓ３３）、送信要求を通信アダプタ１に返信する（ステップＳ３５）。通信アダプタ１が生体データを送信してくれば、それをユーザの識別番号と共に保存する（ステップＳ３７）。さらに受信した生体データの種類を確認し、該当する医療機関３００のＰＣ５に対して生体データ到着を通知する（ステップＳ３９）。なお、ここで、医療機関３００に確実に到達するように、生体データサーバ４はあらかじめ登録されている複数のＵＲＬに送信する機能とすることができる。
【００３３】
＜医療機関での医療判断＞
図９のフローチャートに示すように、生体データサーバ４から生体データ到着のメールメッセージを医療機関のＰＣ５が受信し、医師その他の医療資格者がそのメールメッセージを認識すれば、医療判断のために生体データ送信要求をデータサーバ４に対して要求することになる（ステップＳ４１）。これに対して生体データサーバ４は該当する生体データを医療機関３００のＰＣ５に対して送信し、ＰＣ５はこれを受信する（ステップＳ４３）。医療関係者はこの生体データを見て医療判断を下し、メッセージを作成して該当ユーザのあらかじめ登録されているＵＲＬ、例えばインターネットテレビ３のＵＲＬあるいは携帯端末２のＵＲＬにメールメッセージとして送信する（ステップＳ４５）。
【００３４】
これによってユーザは、インターネットテレビ３あるいは携帯端末２で自身の健康状態について専門の医療関係者から自宅１００に居ながらにして医療判断を確認することができる。
【００３５】
＜通信アダプタの諸機能＞
次に、図１０〜図１４を用いて通信アダプタ１のキー群１１に対するキー操作とＬＣＤ表示部１５に表示されるニューに対するメニュー選択について説明する。なお、以下の説明は、生体測定器として心電測定器のみを備えた医療支援システムにおける手続動作についてのものである。
【００３６】
Ａ．データの送受信
心電測定器１０１の電源をＯＮとし、通信アダプタ１の電源をＯＮする。そして図１０に示す画面表示から、「受信」が選択される。これに対して、操作キー群１１のうち「決定」キーを押すと、「受信中」が画面表示され、心電測定器にデータあるか否かを問合せする。
【００３７】
ここで、データが無ければ、「データありません」のメッセージを画面表示する。ここで、「決定」キー１１３で操作すれば、図１０の画面に戻る。他方、データが有れば、心電測定器１０１にデータ要求し、心電測定器１０１からデータを受け取る。ここで万一、受信を失敗した場合は、「受信失敗しました」を画面表示する。ここでも、「決定」キーで「決定」キーを操作すれば、図１０の画面に戻る。他方、受信を成功した場合は、図１１の画面が表示される。つまり、データの有無によって送信／受信を自動的に入れ替える。同時に心電測定器に受信成功情報を送る。心電測定器１０１は、通信アダプタ１が受信成功を確認した後に送信データを削除する。
【００３８】
ここで、「決定」キー１１３を押すと、データ有無を確認する。そして、データが無ければ、「データありません」の画面表示する。なお、データ無し状態でもカーソル移動して［送信］を選択可能にする。この後、さらに決定キー１１３を操作することで図１０の画面に戻る。
【００３９】
他方、データがあれば、「送信中」画面を表示し、送信を開始する。ここで複数のデータがある場合は、測定時間の最も新しいデータを１つだけ送信する。ここで送信失敗した場合は、「送信失敗しました」画面を表示する。このとき、エラー情報も同時に表示する。
【００４０】
これに対して、「決定」キー１１３が押されると、図１１に示す画面に戻る。そして受信に成功した場合は、通信アダプタ内の送信データを削除し、図１１の画面を表示する。ユーザが続けてデータ送信したい場合は、上の処理を繰り返す。通信アダプタ１内のデータを削除する場合は、カーソルを「削除」に移動し、決定キー１１３を押す。この決定キー１１３により「データを削除しますか？」という画面が表示されるので再度決定キーを押すと、データが削除される。
【００４１】
Ｂ．データ送信先のデータサーバのＵＲＬの設定
カーソルを操作して「設定」を選択し決定キー１１３を押す。これによって図１２の画面を表示する。この画面において、「サーバＵＲＬの設定」を選択して決定キー１１３を押す。これによって、図１３に示す画面を表示する。この場合、現在のＵＲＬが選択される。この画面に対して、設定または修正したいＵＲＬを選択し決定キー１１３を押す。これによって、図１４の画面を表示する。
【００４２】
図１４の画面に対して、「変更」を選択し決定キー１１３を押すと、送信先のＵＲＬを変更し、図１２の画面に戻る。図１４の画面で「削除」を選択し決定キー１１３を押すと、「ＵＲＬを削除しますか？」画面を表示する。そこで再度、決定キー１１３を押すと該当ＵＲＬを削除し、図１２の画面に戻る。図１４の画面で「コピー」を選択し決定キー１１３を押すと、選択ＵＲＬがひとつ追加され、図１３の画面に戻る。図１４の画面で「修正」を選択し決定キーを押すと修正モードに入る。そこで、カーソル上移動キー１１１、カーソル下移動キー１１４と決定キー１１３を操作してＵＲＬを修正することができる。修正完了後は、図１３の画面に戻る。
【００４３】
なお、図１５に示すように、通信アダプタ１の赤外線センサ１２と生体測定器１０１〜１０３の赤外線センサ１０８とを同じ高さ位置に設置することで、単に通信アダプタ１の設置されている場所に該当生体測定器を赤外線センサ１２，１０８同士が向き合うようにセットして通信開始を指示するだけでデータ送受が可能となり、生体データの送受のために生体測定器１０１〜１０３をユーザが手に持って赤外線センサ１０８の高さを通信アダプタ１の赤外線センサ１２の高さに調整する煩わしさをなくすことができる。
【００４４】
また、上記の医療支援システムでは生体測定器を複数種用いたが、システムの単純化のために、１種類だけ、例えば心電測定器だけを用いてシステムを構成にすることもできる。
【図面の簡単な説明】
【００４５】
【図１】本発明の１つの実施の形態の医療支援システムの構成を示すブロック図。
【図２】上記実施の形態における通信アダプタの斜視図。
【図３】上記実施の形態における通信アダプタの機能ブロック図。
【図４】上記実施の形態における生体測定器の機能ブロック図。
【図５】上記実施の形態における生体測定器の生体データ送信処理のフローチャート。
【図６】上記実施の形態における通信アダプタの生体データ受信処理のフローチャート。
【図７】上記実施の形態における通信アダプタの生体データ送信処理のフローチャート。
【図８】上記実施の形態における生体データサーバの生体データ受信処理のフローチャート。
【図９】上記実施の形態における医療機関ＰＣによる生体データ処理のフローチャート。
【図１０】上記実施の形態における通信アダプタの生体データ受信動作の操作画面図。
【図１１】上記実施の形態における通信アダプタの生体データ送信動作の操作画面図。
【図１２】上記実施の形態における通信アダプタに対するデータ設定の操作画面図。
【図１３】上記実施の形態における通信アダプタに対する送信先のＵＲＬ設定操作画面図。
【図１４】上記実施の形態における通信アダプタに対する送信先のＵＲＬの編集操作画面図。
【図１５】上記実施の形態における通信アダプタと生体測定器との間の赤外線通信動作を示す説明図。
【符号の説明】
【００４６】
１  通信アダプタ
２  携帯端末
３  インターネットＴＶ
４  生体データサーバ
５  パーソナルコンピュータ
６  携帯端末
７  ネットワーク
１１  操作キー
１１１  カーソル上移動キー
１１２  電源キー
１１３  決定キー
１１４  カーソル下移動キー
１２  赤外線センサ
１３  生体データ格納部
１５  表示部
１６  無線ネットワーク通信部
１７  プログラム格納部
１８  サーバアドレス格納部
１０１〜１０３  生体測定器
１０４  生体測定部
１０５  カレンダー部
１０６  生体データ格納部
１０８  赤外線センサ
【図３】
2006055530.tif 000003
【図４】
2006055530.tif 000004
【図５】
2006055530.tif 000005
【図６】
2006055530.tif 000006
【図７】
2006055530.tif 000007
【図８】
2006055530.tif 000008
【図９】
2006055530.tif 000009
【図１】
2006055530.tif 000010
【図２】
2006055530.tif 000011
【図１０】
2006055530.tif 000012
【図１１】
2006055530.tif 000013
【図１２】
2006055530.tif 000014
【図１３】
2006055530.tif 000015
【図１４】
2006055530.tif 000016
【図１５】
2006055530.tif 000017